(57)【要約】      （修正有）【課題】収容される菓子などの形状に関係なく収容することができる包装容器を提供する。【解決手段】  カバー２０に容器本体１０が摺動自在に嵌挿された包装容器１において、カバー２０の上面部２３の一端縁に被係止片２６が連設され、また、前記容器本体１０の正面板１４に連設された係止板１５に貼着されるとともに、前記被係止片２６と係脱可能な係止片１９が正面板１４の左右各端縁に連設されている。そして、カバー２０に容器本体１０が嵌挿された際、正面板１４の回動により、係止片１９が被係止片２６と係止され、あるいは、被係止片２６との係止状態が強制的に解除される。【選択図】図１
0003117071.tif 000002
【実用新案登録請求の範囲】
【請求項１】
上面部、左右の側面部および底面部からなり、前後両端が開口されたカバーと、左右の側面板、背面板、底面板および正面板からなり、上面が開口された容器本体と、から構成され、カバーに容器本体が摺動自在に嵌挿された包装容器において、前記カバーの上面部の一端縁に被係止片が連設され、また、前記容器本体の正面板に連設された係止板に貼着されるとともに、前記被係止片と係脱可能な係止片が正面板の左右各端縁に連設され、カバーに容器本体が嵌挿された際、正面板の回動により、係止片が被係止片と係止され、あるいは、被係止片との係止状態を強制的に解除可能であることを特徴とする包装容器。
【考案の詳細な説明】
【技術分野】
【０００１】
本考案は、菓子などの包装容器に関するものである。
【背景技術】
【０００２】
従来より、図８に示すように、菓子などを収容してなる包装容器１００が提案されている。
【０００３】
この包装容器１００は、コートボールを図９に示す展開図にしたがって打ち抜いた後、折り目に沿って折り込むこととともに、所定部分を貼着して組み立てられる。そして、包装容器１００に菓子などを収容して適宜包装した後、出荷される。
【０００４】
この包装容器１００は、図９の展開図において、底面板１０１の左端縁に、左側面板１０２、上面板１０３、糊代１０４が折り目ａ１，ｂ１，ｃ１を介して順に連設されるとともに、底面板１０１の右端縁に右側面板１０５が折り目ｄ１を介して連設される一方、底面板１０１の上端縁に正面板１０６および係止板１０７が折り目ｅ１，ｆ１を介して順に連設されるとともに、底面板１０１の下端縁に背面板１０８が折り目ｇ１を介して連設され、また、左側面板１０２および右側面板１０５の各下端縁にそれぞれフラップ１０９が折り目ｈ１を介して連設され、さらに、上面板１０３の上端縁に被係止片１１０が折り目ｉ１を介して連設されるとともに、上面板１０３の下端縁に糊代１１１が折り目ｊ１を介して連設され、さらにまた、正面板１０６の左右各端縁にそれぞれ係止片１１２が折り目ｋ１を介して連設されて構成されている。
【０００５】
また、係止片１１２には、正面板１０６および係止板１０７の折り目ｆ１に連続するように折り目ｍ１が形成されている。
【０００６】
ここで、糊代１０４の幅（折り目ｃ１および糊代１０４の側端縁間の距離）は、左右の側面板１０２，１０５の幅（折り目ａ１および折り目ｂ１間の距離）よりも若干小さく設定されている。
【０００７】
さらに、各係止片１１２は、折り目ｆ１および折り目ｋ１との交点から斜め外方に延びる斜線と、上端縁から下方に向けて延びる縦線によって切り欠かれており、係止板１０７の左右各側端縁から、各係止片１１２の内端縁までの距離は、被係止片１１０の高さ、すなわち、被係止片１１０の上端縁から折り目ｉ１までの距離にほぼ一致されている。また、正面板１０６の高さ、すなわち、各係止片１１２が連設される折り目ｋ１の距離は、左右の側面板１０２，１０５の高さである折り目ａ１および折り目ｂ１間の距離よりも若干大きく設定されている。
【０００８】
次に、このように構成された包装容器１の組立手順について説明する。
【０００９】
まず、図９の展開図にしたがってコートボールを打ち抜くとともに、裏面が上面を向くように反転させた後、糊代１０４を上面板１０３に対して折り目ｃ１に沿って谷折りし、その表面に接着剤を塗布した後、底面板１０１を右側面板１０５とともに左側面板１０２に対して折り目ａ１に沿って谷折りし、右側面板１０５の裏面を糊代１０４に貼着する。
【００１０】
次いで、包装容器１００を底面板１０１が下方に位置するように上下反転させた後（図１０参照）、被係止片１１０を上面板１０３に対して折り目ｉ１に沿って谷折りする一方、各係止片１１２を折り目ｍ１に沿ってそれぞれ谷折りするとともに、折り目ｋ１に沿ってそれぞれ谷折りし、さらに、正面板１０６を底面板１０１に対して折り目ｅ１に沿って谷折りする。この場合、図１１に示すように、各係止片１１２の切り欠かれた鉛直な内端縁が被係止片１１０の先端縁に略当接する状態で、各係止片１１１２の、折り目ｍ１よりも上方の上半部を上面板１０３の表面に載置する。この後、上面板４の表面に載置された係止片１１２の上半部表面に接着剤を塗布し、係止板１０７を正面板１０６に対して折り目ｆ１に沿って谷折りし、各係止片１１２の上半部に係止板１０７の裏面を貼着する。
【００１１】
その後、正面板１０６が下方に位置するように倒立させ、背面板１０８側開口を通して設定個数の菓子を供給した後、各フラップ１０９を左右の側面板１０２，１０５に対して折り目ｈ１に沿って谷折りするとともに、糊代１１１を上面板１０３に対して折り目ｊ１に沿って谷折りする。さらに、糊代１１１の表面に接着剤を塗布して、背面板１０８を底面板１０１に対して折り目ｇ１に沿って谷折りすれば、内部に菓子が収容された包装容器１００が形成される。この後、詳細には図示しないが、包装容器１００はフィルムで包装されて、出荷される。
【００１２】
一方、店頭にて菓子を購入した消費者はフィルムを剥離した後、係止片１１２の、左右の側面板１０２，１０５と重なる部分を摘んで引き下げることにより、係止板１０７と一体の正面板１０６を回動させて、正面板１０６側開口を開放させることができ、正面板１０６側開口を通して菓子を取り出すことができる。
【００１３】
すなわち、包装容器１００の正面板１０６側開口が正面板１０６によって閉鎖されている状態においては、係止板１０７の内面に貼着された係止片１１２の内端縁が被係止片１１０の先端縁に係止されており、係止板１０７に連設された正面板１０６の意図しない開き出しが規制されている。また、係止片１１２の内端縁が被係止片１１０の先端縁に係止されている状態で、係止片１１２を左右方向から摘んで引き下げることにより、係止板１０７に貼着された係止片１１２が被係止片１１０を立ち上げつつ弾性変形させて乗り越えることができ、係止板１０７に連設された正面板１０６を回動させて、正面板１０６側開口を開放させることができる。
【００１４】
なお、菓子を取り出して正面板１０６側開口を閉鎖する場合は、正面板１０６を押し上げることにより、正面板１０６と一体の係止板１０７が、該係止板１０７の内面に貼着された係止片１１２とともに被係止片１１０を押し倒して、被係止片１１０を乗り越える。このため、被係止片１１０の先端縁に、係止板１０７の内面に貼着された係止片１１２の内端縁が係止されることから、係止板１０７の開き出しを規制することができる。
【考案の開示】
【考案が解決しようとする課題】
【００１５】
ところで、前述した包装容器に収容される菓子などは、正面板側開口を開放した後、包装容器を若干傾けることで取り出されることから、傾けて取り出されるような形状、例えば、粒状に限定されるものである。したがって、包装容器の底面板、左右の側面板、上面板の内面によって形成される方形とほぼ一致する断面形状の直方体状の菓子などは、包装容器を若干傾けた程度では、摩擦抵抗によって落下せず、また、大きく傾けると、一度に落下することから、取り出しが容易でないという欠点があった。
【００１６】
本考案は、このような問題点に鑑みてなされたもので、収容される菓子などの形状に関係なく収容することのできる包装容器を提供するものである。
【課題を解決するための手段】
【００１７】
本考案は、上面部、左右の側面部および底面部からなり、前後両端が開口されたカバーと、左右の側面板、背面板、底面板および正面板からなり、上面が開口された容器本体と、から構成され、カバーに容器本体が摺動自在に嵌挿された包装容器において、前記カバーの上面部の一端縁に被係止片が連設され、また、前記容器本体の正面板に連設された係止板に貼着されるとともに、前記被係止片と係脱可能な係止片が正面板の左右各端縁に連設され、カバーに容器本体が嵌挿された際、正面板の回動により、係止片が被係止片と係止され、あるいは、被係止片との係止状態を強制的に解除可能であることを特徴とするものである。
【００１８】
本考案によれば、コートボールを展開図にしたがって打ち抜いた後、折り目に沿って折り込むこととともに、所定部分を貼着して組み立てられ、カバーに菓子などを収容した容器本体が摺動自在に嵌挿されている。
【００１９】
そして、正面板側開口を開放させる方向に正面板を回動させると、被係止片に係止されている係止片が被係止片を弾性変形させて乗り越えることにより、正面板側開口を開放させることができる。したがって、ケースに対して容器本体を引き出して、容器本体に収容された菓子などを取り出すことができる。また、ケースに対して容器本体を押し込んだ後、正面板側開口を閉鎖する方向に正面板を回動させると、係止片が被係止片を押し倒して被係止片と係止されることから、正面板の意図しない回動が規制され、正面板を正面板側開口の閉鎖位置に保持することができる。すなわち、ケースに対して容器本体がずり落ちることが防止される。
【００２０】
このように、容器本体に収容された菓子などを、ケースから容器本体を引き出して取り出すことができることから、形状に関係なく菓子などを収容することができる。
【考案の効果】
【００２１】
本考案によれば、ケースに対して容器本体を引き出すことにより、収容された菓子などを簡単に取り出すことができることから、収容される菓子などの形状に関係なく収容することができる。
【考案を実施するための最良の形態】
【００２２】
以下、本考案の実施の形態を図面に基づいて説明する。
【００２３】
図１乃至図３には、本考案の包装容器１の一実施形態が示されている。
【００２４】
この包装容器１は、菓子などを収容する容器本体１０と、容器本体１０の外周面に沿って摺動自在に嵌挿可能なカバー２０と、から構成されている。
【００２５】
容器本体１０は、コートボールを図２に示す展開図にしたがって打ち抜いた後、折り目に沿って折り込むとともに、所定部分を貼着して組み立てられる。
【００２６】
この容器本体１０は、図２の展開図において、底面板１１の左右各端縁に左側面板１２および右側面板１３が折り目ａ，ｂを介して連設される一方、底面板１１の上端縁に正面板１４および係止板１５が折り目ｃ，ｄを介して順に連設されるとともに、底面板１１の下端縁に背面板１６および折り返し片１７が折り目ｅ，ｆを介して順に連設され、また、左側面板１２および右側面板１３の各下端縁にそれぞれフラップ１８が折り目ｇを介して連設され、さらに、正面板１４の左右各端縁にそれぞれ係止片１９が折り目ｈを介して連設されて構成されている。
【００２７】
そして、係止片１９には、正面板１４および係止板１５の折り目ｄに連続するように折り目ｉが形成されている。また、各係止片１９は、折り目ｄおよび折り目ｈとの交点から斜め外方に延びる斜線と、上端縁から下方に向けて延びる縦線によって切り欠かれており、係止板１５の左右各側端縁から、各係止片１９の内端縁までの距離は、後述するケース２０の被係止片２６の高さにほぼ一致するように設定されている。さらに、正面板１４の高さ、すなわち、各係止片１９が連設される折り目ｈの距離は、左右の側面板１２，１３の高さである折り目ａと左側面板１２の側端縁間の距離、折り目ｂと右側面板１３の側端縁間の距離よりも若干大きく設定されている。
【００２８】
次に、このように構成された容器本体１０の組立手順について説明する。
【００２９】
まず、図２の展開図にしたがってコートボールを打ち抜くとともに、裏面が上面を向くように反転させた後、各フラップ１８を左右の側面板１２，１３に対して折り目ｇに沿って谷折りするとともに、左側面板１２および右側面板１３を底面板１１に対して折り目ａおよび折り目ｂに沿ってそれぞれ谷折りし、次いで、背面板１６を底面板１１に対して折り目ｅに沿って谷折りするとともに、折り返し片１７を背面板１６に対して折り目ｆに沿って谷折りし、左右のフラップ１８を背面板１６との間で挟み込む（図４参照）。その後、図５に示すように、底面板１１、左右の側面板１２，１３および背面板１６（折り返し片１７）によって区画された空間に設定個数の菓子Ｃを供給して収容する。
【００３０】
一方、カバー２０は、図３の展開図において、底面部２１の右端縁に右側面部２２、上面部２３、左側面部２４が折り目ｊ，ｋ，ｍを介して順に連設されるとともに、底面部２１の左端縁に糊代２５が折り目ｎを介して連設され、また、上面部２３の上端縁に被係止片２６が折り目ｐを介して連設されて構成されている。
【００３１】
ここで、カバー２０の内寸は、カバー２０に対して容器本体１０を円滑に摺動することができるように、容器本体１０の外寸に対応して設定されている。
【００３２】
次に、このように構成されたカバー２０の組立手順について説明する。
【００３３】
まず、図３の展開図にしたがってコートボールを打ち抜くとともに、裏面が上面を向くように反転させた後、底面部２１に対して糊代２５を折り目ｎに沿って谷折りし、その表面に接着剤を塗布する。次いで、上面部２３を左側面部２４とともに右側面部２２に対して折り目ｋに沿って谷折りし、左側面部２４の裏面を糊代２５に貼着する。この後、底面部２１に対して右側面部２２を折り目ｊに沿って谷折りするように起立させることにより、前後方向の両端が開口されたカバー２０が形成される。
【００３４】
カバー２０が形成されたならば、被係止片２６を上面部２３に対して折り目ｐに対して谷折りした後、先に菓子を収容した容器本体１０を、その背面板１６側からケース２０の前方側開口（被係止片２６が連設された側の開口）を通して挿入する（図６参照）。ケース２０に容器本体１０を奥まで押し込んだならば、容器本体１０において、各係止片１９を折り目ｉに沿ってそれぞれ谷折りするとともに、折り目ｈに沿ってそれぞれ谷折りし、さらに、正面板１４を底面板１１に対して折り目ｃに沿って谷折りする。この場合、図７に示すように、各係止片１９の切り欠かれた鉛直な内端縁が被係止片２６の先端縁に略当接する状態で、各係止片１９の、折り目ｉよりも上方の上半部をケース２０における上面部２３の表面に載置する。この後、ケース２０における上面部２３の表面に載置された係止片１９の上半部表面に接着剤を塗布し、係止板１５を正面板１４に対して折り目ｄに沿って谷折りすることにより、各係止片１９の上半部に係止板１５の裏面を貼着することができ、内部に菓子Ｃを収容した包装容器１が形成される（図７参照）。
【００３５】
この後、詳細には図示しないが、包装容器１はフィルムで包装されて、出荷される。
【００３６】
一方、店頭にて菓子を購入した消費者はフィルムを剥離した後、係止片１９の、ケース２０における左右の側面部２２，２４と重なる部分を摘んで引き下げることにより、係止板１５と一体の正面板１４を回動させて、正面板１４側開口を開放させることができる。
【００３７】
すなわち、包装容器１における容器本体１０の正面板１４側開口が正面板１４によって閉鎖されている状態においては、係止板１５の内面に貼着された係止片１９の内端縁がカバー２０における被係止片２６の先端縁に係止されており、係止板１５に連設された正面板１４の意図しない開き出しが規制されている。また、係止片１９の内端縁が被係止片２６の先端縁に係止している状態で、係止片１９の、カバー２０における左右の側面部２２，２４と重なる部分を左右方向から摘んで引き下げることにより、係止板１５に貼着された係止片１９は、その内端縁がカバー２０における被係止片２６の先端縁に当接して被係止片２６を立ち上げつつ弾性変形させて乗り越えることができ、係止板１５に連設された正面板１４を回動させて、正面板１４側開口を開放させることができる。
【００３８】
したがって、ケース２０に対する容器本体１０の係止状態を解除することができることから、ケース２０から容器本体１０を引き出すことができ、容器本体１０に収容された菓子Ｃを摘まんで取り出すことができる。
【００３９】
なお、菓子Ｃを取り出した後、正面板１４側開口を閉鎖する場合は、カバー２０に対して容器本体１０を奥まで押し込み、カバー２０における左右の側面部２２，２４の前端縁に係止片１９の先端を当接させ、それ以上の挿入が阻止された状態で、正面板１４を押し上げることにより、正面板１４と一体の係止板１５が、該係止板１５の内面に貼着された係止片１９とともにカバー２０における被係止片２６を押し倒して、被係止片２６を乗り越える。このため、被係止片２６の先端縁に、係止板１５の内面に貼着された係止片１９の内端縁が係止され、係止板１５の開き出しを規制することができる。
【図面の簡単な説明】
【００４０】
【図１】本考案の包装容器の一実施形態を示す斜視図である。
【図２】図１の包装容器を構成する容器本体の展開図である。
【図３】図１の包装容器を構成するカバーの展開図である。
【図４】容器本体の組立工程を示す説明図である。
【図５】容器本体の組立工程を示す説明図である。
【図６】図１の包装容器の組立工程を示す説明図である。
【図７】図１の包装容器の組立工程を示す説明図である。
【図８】従来の包装容器を示す斜視図である。
【図９】従来の包装容器の展開図である。
【図１０】従来の包装容器の組立工程を示す説明図である。
【図１１】従来の包装容器の組立工程を示す説明図である。
【符号の説明】
【００４１】
１  包装容器
１０  容器本体
１１  底面部
１２，１３  側面板
４  上面板
５  第１糊代
６  内方底面板
７  第２糊代
９  正面板
２０  カバー
２１  底面部
２２，２４  側面部
２３  上面部
２６  被係止片
ａ，ｂ，ｃ，ｄ，ｅ，ｆ，ｇ，ｈ，ｉ，ｊ，ｋ，ｍ，ｎ  折り目
【図１】
0003117071.tif 000003
【図２】
0003117071.tif 000004
【図３】
0003117071.tif 000005
【図４】
0003117071.tif 000006
【図５】
0003117071.tif 000007
【図６】
0003117071.tif 000008
【図７】
0003117071.tif 000009
【図８】
0003117071.tif 000010
【図９】
0003117071.tif 000011
【図１０】
0003117071.tif 000012
【図１１】
0003117071.tif 000013